(57)【要約】【目的】略９０度異なる面方向のスパン間における連結に対しても吊り状態を容易に且つ良好な作業性にて補強可能な吊りボルト連結金具を提供する。【構成】  隣接する２本の吊りボルト同士間である１つのスパン間に架渡した長尺ボルト吊りボルトとの各接続部の各々を連結する吊りボルト連結金具において、  内側Ｌ字部材と、外側Ｌ字部材と、内側Ｌ字部材と外側Ｌ字部材とを一辺部分側と他辺部分側で各々接続するボルト・ナットと、を有し、  内側Ｌ字部材と外側Ｌ字部材間の角部に吊りボルトを挿通し、ボルト・ナットの緊締により吊りボルトを挟着固定する構成であり、  一辺部分側のボルトに一辺側長尺ボルトの端部を固定する一辺側固定手段が螺合取付られ、他辺部分側のボルトに他辺側長尺ボルトの端部を固定する他辺側固定手段が螺合取付られる構成であることを特徴とする。【選択図】        図１
2014148827.tif 000002
【特許請求の範囲】
【請求項１】
天井スラブ・デッキプレートの如き天板部より垂設された複数本の吊りボルトの隣接する２本の吊りボルト同士間である１つのスパン間に対して長尺ボルトを架渡し、各吊りボルトと長尺ボルトとの各接続部の各々を連結する構成の吊りボルト連結金具において、
板材を略９０度に折曲げて一辺部分と他辺部分とを形成した略Ｌ字状板材から成る内側Ｌ字部材と、
板材を略９０度に折曲げて一辺部分と他辺部分とを形成した略Ｌ字状板材から成ると共に前記内側Ｌ字部材の外側に間隔を設けて積層する外側Ｌ字部材と、
前記内側Ｌ字部材の一辺部分に形成される透孔と前記外側Ｌ字部材の一辺部分に形成される透孔との二つの透孔に、内側Ｌ字部材の内側方向から貫通挿通して内側Ｌ字部材と外側Ｌ字部材とを一辺部分側で接続するボルト・ナットと、
前記内側Ｌ字部材の他辺部分に形成される透孔と前記外側Ｌ字部材の他辺部分に形成される透孔との二つの透孔に、内側Ｌ字部材の内側方向から貫通挿通して内側Ｌ字部材と外側Ｌ字部材とを他片部分側で接続するボルト・ナットと、
を有し、
前記内側Ｌ字部材のＬ字の角部の外側と前記外側Ｌ字部材のＬ字の角部の内側との間に前記吊りボルトを挿通し、前記一辺部分側のボルト・ナットと前記他辺部分側のボルト・ナットとを緊締することにより前記吊りボルトを２枚のＬ字部材で挟着固定する構成であり、
更に、前記一辺部分側のボルトに、前記一辺部分と同一方向側に位置するスパン間である一辺側スパン間に架渡される一辺側長尺ボルトの端部を固定する一辺側固定手段が螺合取付られると共に、
前記他辺部分側のボルトに、前記他辺部分と同一方向側に位置し前記一辺側スパンに対して略９０度異なる方向に位置するスパン間である他辺側スパン間に架渡される他辺側長尺ボルトの端部を固定する他辺側固定手段が螺合取付られる構成であること、
を特徴とする吊りボルト連結金具。
【請求項２】
前記外側Ｌ字部材の一辺部分又は他辺部分の端部と、前記内側Ｌ字部材の一辺部分又は他辺部分の端部とを相互に掛止する掛止部が設けられ、該掛止部が第１掛止部と該第１掛止部に掛止される第２掛止部から成り、前記第１掛止部が前記外側Ｌ字部材又は内側Ｌ字部材のいずれか一方に形成され、前記第２掛止部が他方に形成されていることを特徴とする請求項１に記載の吊りボルト連結金具。
【請求項３】
前記第２掛止部が透孔又は切欠部であり、前記第１掛止部が前記透孔又は切欠部に引っ掛かるように前記端部を鈎状に延伸した構成であることを特徴とする請求項２に記載の吊りボルト連結金具。
【請求項４】
前記外側Ｌ字部材の一辺部分及び他辺部分に形成されたボルト挿通用の透孔と、前記内側Ｌ字部材に形成された透孔のうち前記掛止部が設けられていない辺部分に形成されたボルト挿通用の透孔とが、各々ボルトを遊動状態に挿通する遊動透孔であり、
内側Ｌ字部材に形成された透孔のうち前記掛止部が設けられた辺部分に形成された透孔が、該透孔に挿通するボルトが螺合する雌ネジ孔であること、
を特徴とする請求項２又は３に記載の吊りボルト連結金具。
【請求項５】
前記内側Ｌ字部材の前記掛止部が設けられていない辺部分であって、且つ該辺部分に形成されたボルト挿通用の透孔乃至は該透孔の近傍に、該透孔に挿通するボルトの供回り防止手段が設けられていることを特徴とする請求項２〜４のいずれかに記載の吊りボルト連結金具。
【請求項６】
前記内側Ｌ字部分の一辺部分及び他辺部分に形成されたボルト挿通用の透孔乃至は該透孔の近傍に、該透孔に挿通するボルトの供回り防止手段が設けられていることを特徴とする請求項１〜３のいずれかに記載の吊りボルト連結金具。
【請求項７】
前記外側Ｌ字部材のＬ字の角部の内側であって前記吊りボルトの挟着固定時に該吊りボルトの側面に接する部分に、前記吊りボルトのネジ山が係合する食込部が形成されていることを特徴とする請求項１〜６のいずれかに記載の吊りボルト連結金具。
【請求項８】
前記一辺側長尺ボルトの端部を固定する一辺側固定手段が前記外側Ｌ字部材の一辺部分の外側に取付けられ、
前記他辺側長尺ボルトの端部を固定する他辺側固定手段が前記外側Ｌ字部材の他辺部分の外側に取付けられる構成であること、
を特徴とする請求項１〜７のいずれかに記載の吊りボルト連結金具。
【請求項９】
前記一辺側固定手段が、前記一辺部分側のボルトが挿通する透孔を有する取付板状部と、該取付板状部に対して屈曲部又は折曲部を介して略直角方向に連設されると共に前記一辺側長尺ボルトの端部を螺合するナット部が設けられた固定板状部と、を有して構成され、
前記他辺側固定手段が、前記他辺部分側のボルトが挿通する透孔を有する取付板状部と、該取付板状部に対して屈曲部又は折曲部を介して略直角方向に連設されると共に前記他辺側長尺ボルトの端部を螺合するナット部が設けられた固定板状部と、を有して構成されること、
を特徴とする請求項１〜８のいずれかに記載の吊りボルト連結金具。
【請求項１０】
前記一辺側固定手段の取付板状部が重合する２枚構成であり、該２枚の内の一方の取付板状部の端部に屈曲部又は折曲部を介して前記固定板状部の一方の端部が連設されると共に、前記２枚の内の他方の取付板状部の端部に屈曲部又は折曲部を介して前記固定板状部の他方の端部が連設される構成であることを特徴とする請求項９に記載の吊りボルト連結金具。
【請求項１１】
前記一辺側固定手段及び／又は前記他辺側固定手段がタンバックルであり、前記固定板状部に設けられたナット部が該固定板状部に対して回動可能に取り付けられたナット部材であることを特徴とする請求項１０に記載の吊りボルト連結金具。
【発明の詳細な説明】
【技術分野】
【０００１】
本発明は吊りボルト連結金具に関し、詳しくは天井スラブ・デッキプレートの如き天板部より垂設された吊りボルトによる吊り状態を補強する構成に用いる吊りボルト連結金具に関する。
【背景技術】
【０００２】
天井スラブ・デッキプレートの如き天板部より垂設される吊りボルトによって各種設備機器・空調機器・電気設備・天井化粧板等を吊下げ固定する構成において、垂設された複数本の吊りボルトの隣接する２本の吊りボルト同士間である１つのスパン間に対して長尺ボルトを架渡し、この架渡した長尺ボルトによって隣接する吊りボルト同士を連結して吊りボルトによる吊り状態を補強する構成が知られている。
【０００３】
上記した吊り状態の補強構成において、吊りボルトと長尺ボルトとを連結する金具が種々提案されている（例えば、特許文献１〜６参照）。
【０００４】
特許文献１の技術は、板材をＵ字状に折曲形成して連結金具を形成し、Ｕ字状板材の円弧部分内に吊りボルトを挿通し、全ネジ棒から成る長尺ボルトの端部を固定手段に螺合取付し、前記Ｕ字状板材の両端部分においてボルト・ナットを挿通し緊締して前記吊りボルトを挟着固定すると共に前記固定手段をボルト・ナット固定することにより吊りボルトと長尺ボルトとを連結する構成である。
【０００５】
特許文献２、３の技術は、連結金具に形成された凹部に長尺ボルトを嵌入し、嵌入した長尺ボルトと連結金具の内側面との間に吊りボルトを挟着することにより吊りボルトと長尺ボルトとを連結する構成である。
【０００６】
特許文献４、５の技術は、連結金具に形成された２組の凹部の一方に吊りボルトを嵌入し、他方に長尺ボルトを嵌入することにより吊りボルトと長尺ボルトとを連結する構成である。
【０００７】
特許文献６の技術は、吊りボルトを挿通する挿通部と長尺ボルトを挿通する挿通部とを接続した連結金具により連結する構成である。
【先行技術文献】
【特許文献】
【０００８】
【特許文献１】特開２００２−３３９９１８号公報
【特許文献２】特公昭６１−０２６２８６号公報
【特許文献３】実公昭６２−００２８８３号公報
【特許文献４】特許４４５７１５４号公報
【特許文献５】特許４７４１９４６号公報
【特許文献６】特開２００９−２１５７１６号公報
【発明の概要】
【発明が解決しようとする課題】
【０００９】
特許文献１〜６の技術は、いずれも連結金具に対する長尺ボルトの取付方向が一方向のみに限定されているため、２本の吊りボルト同士間である一つの面方向のスパン間のみに架渡される長尺ボルトを連結する構成であり、この一つの面方向のスパン間とは略９０度異なる面方向に位置するスパン間に架渡される長尺ボルトの連結に際しては、別なる連結金具を用いることが行われている。
【００１０】
即ち、１本の吊りボルトに対して二つの面方向のスパン間に架渡される２本の長尺ボルトを一箇所で連結するには、二つの連結金具を吊りボルトに対して並べて取付けて、この二つの連結金具の各々に長尺ボルトを接続することによって異なる面方向の２本の長尺ボルトの架渡しを行っている。
【００１１】
１本の吊りボルトに対して一箇所毎に二つの連結金具を取付けた場合、二つの連結金具の取付位置は吊りボルトの軸方向にズレるため、各々に取付固定される２本の長尺ボルトも異なる長さに調整しなければならず、余分な手間がかかるだけでなく煩雑であるという不都合が生じている。
【００１２】
そこで本発明の課題は、一つの面方向のスパン間における連結だけでなく、略９０度異なる面方向のスパン間における連結に対しても吊り状態を容易に且つ良好な作業性にて補強可能な吊りボルトと長尺ボルトとの連結に用いて有効な吊りボルト連結金具を提供することにある。
【課題を解決するための手段】
【００１３】
上記課題を解決する本発明は下記構成を有する。
【００１４】
１．天井スラブ・デッキプレートの如き天板部より垂設された複数本の吊りボルトの隣接する２本の吊りボルト同士間である１つのスパン間に対して長尺ボルトを架渡し、各吊りボルトと長尺ボルトとの各接続部の各々を連結する構成の吊りボルト連結金具において、
板材を略９０度に折曲げて一辺部分と他辺部分とを形成した略Ｌ字状板材から成る内側Ｌ字部材と、
板材を略９０度に折曲げて一辺部分と他辺部分とを形成した略Ｌ字状板材から成ると共に前記内側Ｌ字部材の外側に間隔を設けて積層する外側Ｌ字部材と、
前記内側Ｌ字部材の一辺部分に形成される透孔と前記外側Ｌ字部材の一辺部分に形成される透孔との二つの透孔に、内側Ｌ字部材の内側方向から貫通挿通して内側Ｌ字部材と外側Ｌ字部材とを一辺部分側で接続するボルト・ナットと、
前記内側Ｌ字部材の他辺部分に形成される透孔と前記外側Ｌ字部材の他辺部分に形成される透孔との二つの透孔に、内側Ｌ字部材の内側方向から貫通挿通して内側Ｌ字部材と外側Ｌ字部材とを他片部分側で接続するボルト・ナットと、
を有し、
前記内側Ｌ字部材のＬ字の角部の外側と前記外側Ｌ字部材のＬ字の角部の内側との間に前記吊りボルトを挿通し、前記一辺部分側のボルト・ナットと前記他辺部分側のボルト・ナットとを緊締することにより前記吊りボルトを２枚のＬ字部材で挟着固定する構成であり、
更に、前記一辺部分側のボルトに、前記一辺部分と同一方向側に位置するスパン間である一辺側スパン間に架渡される一辺側長尺ボルトの端部を固定する一辺側固定手段が螺合取付られると共に、
前記他辺部分側のボルトに、前記他辺部分と同一方向側に位置し前記一辺側スパンに対して略９０度異なる方向に位置するスパン間である他辺側スパン間に架渡される他辺側長尺ボルトの端部を固定する他辺側固定手段が螺合取付られる構成であること、
を特徴とする吊りボルト連結金具。
【００１５】
２．前記外側Ｌ字部材の一辺部分又は他辺部分の端部と、前記内側Ｌ字部材の一辺部分又は他辺部分の端部とを相互に掛止する掛止部が設けられ、該掛止部が第１掛止部と該第１掛止部に掛止される第２掛止部から成り、前記第１掛止部が前記外側Ｌ字部材又は内側Ｌ字部材のいずれか一方に形成され、前記第２掛止部が他方に形成されていることを特徴とする上記１に記載の吊りボルト連結金具。
【００１６】
３．前記第２掛止部が透孔又は切欠部であり、前記第１掛止部が前記透孔又は切欠部に引っ掛かるように前記端部を鈎状に延伸した構成であることを特徴とする上記２に記載の吊りボルト連結金具。
【００１７】
４．前記外側Ｌ字部材の一辺部分及び他辺部分に形成されたボルト挿通用の透孔と、前記内側Ｌ字部材に形成された透孔のうち前記掛止部が設けられていない辺部分に形成されたボルト挿通用の透孔とが、各々ボルトを遊動状態に挿通する遊動透孔であり、
内側Ｌ字部材に形成された透孔のうち前記掛止部が設けられた辺部分に形成された透孔が、該透孔に挿通するボルトが螺合する雌ネジ孔であること、
を特徴とする上記２又は３に記載の吊りボルト連結金具。
【００１８】
５．前記内側Ｌ字部材の前記掛止部が設けられていない辺部分であって、且つ該辺部分に形成されたボルト挿通用の透孔乃至は該透孔の近傍に、該透孔に挿通するボルトの供回り防止手段が設けられていることを特徴とする上記２〜４のいずれかに記載の吊りボルト連結金具。
【００１９】
６．前記内側Ｌ字部分の一辺部分及び他辺部分に形成されたボルト挿通用の透孔乃至は該透孔の近傍に、該透孔に挿通するボルトの供回り防止手段が設けられていることを特徴とする上記１〜３のいずれかに記載の吊りボルト連結金具。
【００２０】
７．前記外側Ｌ字部材のＬ字の角部の内側であって前記吊りボルトの挟着固定時に該吊りボルトの側面に接する部分に、前記吊りボルトのネジ山が係合する食込部が形成されていることを特徴とする上記１〜６のいずれかに記載の吊りボルト連結金具。
【００２１】
８．前記一辺側長尺ボルトの端部を固定する一辺側固定手段が前記外側Ｌ字部材の一辺部分の外側に取付けられ、
前記他辺側長尺ボルトの端部を固定する他辺側固定手段が前記外側Ｌ字部材の他辺部分の外側に取付けられる構成であること、
を特徴とする上記１〜７のいずれかに記載の吊りボルト連結金具。
【００２２】
９．前記一辺側固定手段が、前記一辺部分側のボルトが挿通する透孔を有する取付板状部と、該取付板状部に対して屈曲部又は折曲部を介して略直角方向に連設されると共に前記一辺側長尺ボルトの端部を螺合するナット部が設けられた固定板状部と、を有して構成され、
前記他辺側固定手段が、前記他辺部分側のボルトが挿通する透孔を有する取付板状部と、該取付板状部に対して屈曲部又は折曲部を介して略直角方向に連設されると共に前記他辺側長尺ボルトの端部を螺合するナット部が設けられた固定板状部と、を有して構成されること、
を特徴とする上記１〜８のいずれかに記載の吊りボルト連結金具。
【００２３】
１０．前記一辺側固定手段の取付板状部が重合する２枚構成であり、該２枚の内の一方の取付板状部の端部に屈曲部又は折曲部を介して前記固定板状部の一方の端部が連設されると共に、前記２枚の内の他方の取付板状部の端部に屈曲部又は折曲部を介して前記固定板状部の他方の端部が連設される構成であることを特徴とする請求項９に記載の吊りボルト連結金具。
【００２４】
１１．前記一辺側固定手段及び／又は前記他辺側固定手段がタンバックルであり、前記固定板状部に設けられたナット部が該固定板状部に対して回動可能に取り付けられたナット部材であることを特徴とする上記１０に記載の吊りボルト連結金具。
【発明の効果】
【００２５】
請求項１に示す発明によれば、一つの面方向のスパン間における連結だけでなく、略９０度異なる面方向のスパン間における連結に対しても吊り状態を容易に且つ良好な作業性にて補強可能な吊りボルトと長尺ボルトとの連結に用いて有効な吊りボルト連結金具を提供することができる。
【００２６】
特に、吊りボルト連結金具を略９０度折曲形成したＬ字状部材とした構成により、このＬ字状部材の一辺部分に一つの面方向のスパン間に架渡される長尺ボルトを取付固定できると共に、他辺部分に略９０度異なる面方向のスパン間に架渡される長尺ボルトを取付固定できることにより、二つの異なる面方向のスパン間に架渡される２本の長尺ボルトの取付固定を吊りボルトの一箇所に対して一つの連結金具で行うことができる。
【００２７】
請求項２に示す発明によれば、内側Ｌ字部材と外側Ｌ字部材との間に吊りボルトを挿通する際に掛止部が設けられていない辺部分のボルト・ナットを取り外しても、前記内側Ｌ字部材と外側Ｌ字部材とが分離してしまうことなく間隔を設けて積層状態に接続された構成を維持することができる。従って、現場での取付作業時の作業性が向上する。
【００２８】
請求項３に示す発明によれば、掛止部による内側Ｌ字部材と外側Ｌ字部材との掛止が極めて容易に可能であるため、吊りボルト連結金具を極めて容易に組み立てることができる。
【００２９】
請求項４に示す発明によれば、内側Ｌ字部材と外側Ｌ字部材との間に吊りボルトを挿通する際に掛止部が設けられていない辺部分のボルト・ナットを取り外し、更に掛止部が設けられている辺部分のナットを外しても、前記内側Ｌ字部材と外側Ｌ字部材とが分離してしまうことなく間隔を設けて積層状態に接続された構成を維持することができる。しかも掛止部が設けられている辺部分のボルトはナットが螺合されていない状態であっても脱落することがないだけでなく、雌ネジ孔に対してネジ込むことによって当該ボルトの緊締のみで内側Ｌ字部材と外側Ｌ字部材とによる吊りボルトの仮状態の挟着固定が可能となる。従って、この１本のボルトの緊締のみで吊りボルト連結金具を手指で押さえることなく吊りボルトに仮固定することができるので現場での取付作業時の作業性がより向上する。
【００３０】
請求項５又は６に示す発明によれば、吊りボルトに吊りボルト連結金具を取付ける際のボルトへのナット螺合作業時に、ナット螺合に伴うボルトの供回りが生じることなくナットを螺合することができるので、現場での取付作業時の作業性が向上する。
【００３１】
請求項７に示す発明によれば、吊りボルトに対する吊りボルト連結金具の挟着固定をより強固にすることができるので吊りボルトの軸方向における位置ズレを抑制することができる。
【００３２】
請求項８に示す発明によれば、吊りボルトを挟着固定した２枚のＬ字部材の外側に一辺側固定手段・他辺側固定手段を取付ける構成によって、（１）吊りボルトを２枚のＬ字部材によって挟着固定した後に、（２）外側Ｌ字部材の外側に一辺側固定手段・他辺側固定手段を取付けて長尺ボルトを取付固定する、という２段階に分けた取付作業とすることができるので、）吊りボルトへの吊りボルト連結金具の取付固定と長尺ボルトの取付固定とを同時作業とする場合に比して作業性が極めて良好となるだけでなく、現場で長尺ボルトの長さ調整を行う場合に、調整すべき該長尺ボルトの長さ確認が極めて容易になる。
特に、前記（２）の長尺ボルトの取付固定については、長尺ボルトの取付及び調整（位置調整・長さ調整・テンション調整等）が吊りボルト連結金具の外側から可能であるので作業性が著しく向上する、エアコン等の機器類を吊下げた後であっても一辺側固定手段・他辺側固定手段・長尺ボルトの取付及び調整が可能である、等の効果を有する。
【００３３】
請求項９に示す発明によれば、簡易な構成の一辺側固定手段と他辺側固定手段により一辺側長尺ボルトと他辺側長尺ボルトの固定が可能である。
【００３４】
請求項１０に示す発明によれば、一辺側固定手段と他辺側固定手段の各々の固定板状部が、その両端部において２枚の取付板状部に両持ち構成で連設された構成となるので、この固定板状部のナット部に螺合取付される一辺側長尺ボルトと他辺側長尺ボルトに大きな荷重や振動等の負荷がかかったとしても、変形・損傷・破断等の発生を著しく抑制することができる。従って、大規模地震等における安全性向上に寄与することができる。
【００３５】
請求項１１に示す発明によれば、支持金具としてタンバックルを使用することにより、高い強度の補強をより容易に提供することができる。しかも、回動可能なナットが取付けられたタンバックルを用いることにより、ナットの緩みを著しく抑制することができるので、より高い強度の補強を得ることができる。特に、タンバックルは引張力に対する耐性が高いので地震時や余震時の変形・損傷・破断等が生じるおそれが極めて低い。
【図面の簡単な説明】
【００３６】
【図１】本発明に係る吊りボルト連結金具の一実施例を用いた吊り状態の一例を示す概略斜視図
【図２】図１に示す吊り状態の要部拡大正面図
【図３】本発明に係る吊りボルト連結金具の一実施例を示す７面図（正面図、背面図、平面図、底面図、左側面図、右側面図、Ａ−Ａ線断面図（ボルト・ナットは省略））
【図４】図３に示す吊りボルト連結金具の組立て順序の一例を示す概略説明図
【図５】図３に示す吊りボルト連結金具の施工順序の一例を示す概略説明図
【発明を実施するための形態】
【００３７】
次に、添付の図面に従って本発明を説明する。
【００３８】
本発明に係る吊りボルト用連結金具（以下、単に連結金具と言うこともある。）は、天井スラブ・デッキプレートの如き天板部より垂設された複数本の吊りボルトの隣接する２本の吊りボルト同士間である１つのスパン間に対して長尺ボルトを架渡し、この架渡した長尺ボルトによって隣接する吊りボルト同士を連結して吊りボルトによる吊り状態を補強する構成の吊りボルト補強金具に用いるものであり、１つの面方向のスパン間に架渡される長尺ボルトを取付固定できると共に、前記１つの面方向とは略９０度異なる方向のスパン間に架渡される長尺ボルトを取付固定できるという一つの連結金具で、二つの異なる面方向のスパン間に架渡される２本の長尺ボルトの取付固定が可能な構成である。
【００３９】
図１に示す吊り状態の実施例では、天板部（図示は省略）から垂設される複数本の吊りボルトは符号２ＡＢ・２ＡＤ・２ＢＣ・２ＣＤで示す４本の態様となっている。
また、図１に示すように吊りボルト２が４本の場合には、隣接する２本の吊りボルト２・２同士間であるスパンは４つとなり、スパンＡ・Ｂ・Ｃ・Ｄで示すこととする。
具体的には、吊りボルト２ＡＢと２ＡＤとの間であるスパン間をスパンＡとして示し、吊りボルト２ＡＢと２ＢＣとの間であるスパン間をスパンＢとして示し、吊りボルト２ＢＣと２ＣＤとの間であるスパン間をスパンＣとして示し、吊りボルト２ＡＤと２ＣＤとの間であるスパン間はスパンＤとして示す。
更に、隣接する２本の吊りボルト２・２同士間である１つのスパン間に交差状態に架渡される２本の長尺ボルトは符号３として示し、より詳細には、吊りボルト２ＡＢ・２ＡＤ間であるスパンＡ間に架渡される２本の長尺ボルトは符号３Ａ・３ａ、吊りボルト２ＡＢ・２ＢＣ間であるスパンＢ間に架渡される２本の長尺ボルトは符号３Ｂ・３ｂとして示す。
【００４０】
図１に示す実施例では、４本の吊りボルト２ＡＢ・２ＡＤ・２ＢＣ・２ＣＤの各々に対して、その上方部分と下方部分の２箇所に連結金具１を取付固定することにより計８つの連結金具１を取付け、４つのスパンＡ・Ｂ・Ｃ・Ｄに各２本ずつの計８本の長尺ボルト３を架渡す構成となっている。４つのスパンＡ・Ｂ・Ｃ・Ｄの各々に交差状態に架渡された各２本ずつの長尺ボルト３は、その各スパン間において交差部分を長尺ボルト交差連結金具９により連結する構成となっている。尚、長尺ボルト交差連結金具９としては、図１に示すように２本の長尺ボルト３の各々であって且つ交差部近傍に掛止することでこの２本を連結する構成のものの他、クリップ式の連結具やタイラップ等の締付部材等、２本の長尺体をその交差部で連結する交差連結手段として公知公用の構成のものを特別の制限なく用いることができる。
【００４１】
以上の構成によって、４本の吊りボルト２ＡＢ・２ＡＤ・２ＢＣ・２ＣＤによる吊り状態の補強が可能となっている。吊り状態が補強された４本の吊りボルト２ＡＢ・２ＡＤ・２ＢＣ・２ＣＤにより、例えば、エアコン等の機器類ＡＣを安定した状態で確実に吊下げることが可能となる。
【００４２】
次に、図２〜図５に基づき連結金具１の詳細について説明する。尚、図２に示す連結金具１の詳細説明に際しては、図１に示す吊り状態の構成の吊りボルト２ＡＢの下方部分に取付固定され、スパンＡに架渡された長尺ボルト３Ａと、該スパンＡとは略９０度異なる方向に位置するスパンＢに架渡された長尺ボルト３ｂとが取付固定される構成の連結金具１に基づくものとする。尚また、図４及び図５についても図２と同様位置に取付固定される連結金具１に基づくものとする。
【００４３】
本発明の連結金具１は、
板材を略９０度に折曲げて一辺部分４Ａと他辺部分４Ｂとを形成した略Ｌ字状板材から成る内側Ｌ字部材４と、
板材を略９０度に折曲げて一辺部分５Ａと他辺部分５Ｂとを形成した略Ｌ字状板材から成ると共に前記内側Ｌ字部材４の外側に間隔を設けて積層する外側Ｌ字部材５と、
前記内側Ｌ字部材４の一辺部分４Ａに形成される透孔４１Ａと前記外側Ｌ字部材５の一辺部分５Ａに形成される透孔５１Ａとの二つの透孔に、内側Ｌ字部材４の内側方向から貫通挿通して内側Ｌ字部材４と外側Ｌ字部材５とを一辺部分４Ａ・５Ａ側で接続するボルト６Ａ・ナット７Ａと、
前記内側Ｌ字部材４の他辺部分４Ｂに形成される透孔４１Ｂと前記外側Ｌ字部材５の他辺部分５Ｂに形成される透孔５１Ｂとの二つの透孔に、内側Ｌ字部材４の内側方向から貫通挿通して内側Ｌ字部材４と外側Ｌ字部材５とを他片部分４Ｂ・５Ｂ側で接続するボルト６Ｂ・ナット７Ｂと、
を有し、
前記内側Ｌ字部材４のＬ字の角部４２の外側と前記外側Ｌ字部材５のＬ字の角部５２の内側との間に前記吊りボルト２ＡＢを挿通し、前記一辺部分４Ａ・５Ａ側のボルト６Ａ・ナット７Ａと前記他辺部分４Ｂ・５Ｂ側のボルト６Ｂ・ナット７Ｂとを緊締することにより前記吊りボルト２ＡＢを２枚のＬ字部材４・５で挟着固定する構成であり、
更に、前記一辺部分４Ａ・５Ａ側のボルト６Ａに、前記一辺部分４Ａ・５Ａと同一方向側に位置するスパンＡ間である一辺側スパン間に架渡される一辺側長尺ボルト３Ａの端部を固定する一辺側固定手段８Ａが螺合取付られると共に、
前記他辺部分４Ｂ・５Ｂ側のボルト６Ｂに、前記他辺部分４Ｂ・５Ｂと同一方向側に位置し前記スパンＡに対して略９０度異なる方向に位置するスパンＢ間である他辺側スパン間に架渡される他辺側長尺ボルト３ｂの端部を固定する他辺側固定手段８Ｂが螺合取付られる構成であること、
を具体的構成とするものである。
【００４４】
本発明の連結金具１は、前記外側Ｌ字部材５の一辺部分５Ａ又は他辺部分５Ｂ（本実施例では一辺部分５Ａ）の端部と、前記内側Ｌ字部材４の一辺部分４Ａ又は他辺部分４Ｂ（本実施例では一辺部分４Ａ）の端部とを相互に掛止する掛止部４５が設けられ、該掛止部４５が第１掛止部５Ｃと該第１掛止部５Ｃに掛止される第２掛止部４Ｃから成り、前記第１掛止部５Ｃが前記外側Ｌ字部材４又は内側Ｌ字部材５のいずれか一方（本実施例では外側Ｌ字部材５）に形成され、前記第２掛止部４Ｃが他方（本実施例では内側Ｌ字部材４）に形成されていることが好ましい。かかる構成によれば、内側Ｌ字部材４と外側Ｌ字部材５との間に吊りボルト２を挿通する際に掛止部４５が設けられていない辺部分（本実施例では他辺部分４Ｂ・５Ｂ）のボルト・ナット（本実施例ではボルト６Ｂ・ナット７Ｂ）を取り外しても、前記内側Ｌ字部材４と外側Ｌ字部材５とが分離してしまうことなく間隔を設けて積層状態に接続された構成を維持することができるため、現場での取付作業時の作業性が向上する。
【００４５】
更に本実施例では、前記第２掛止部４Ｃは透孔又は切欠部（本実施例では切欠部）であり、前記第１掛止部５Ｃが前記透孔又は切欠部に引っ掛かるように前記端部を鈎状に延伸した構成となっている。
【００４６】
また本発明の連結金具１は、前記内側Ｌ字部材４に形成された透孔４１Ａ・４１Ｂのうち前記掛止部４５（の第２掛止部４Ｃ）が設けられた辺部分（本実施例では一辺部分４Ａ）に形成された透孔（本実施例では４１Ａ）が、該透孔４１Ａに挿通するボルト（本実施例では６Ａ）が螺合する雌ネジ孔であることが好ましい。かかる構成によれば、内側Ｌ字部材４と外側Ｌ字部材５との間に吊りボルト２を挿通する際に掛止部４５が設けられていない辺部分（本実施例では４Ｂ・５Ｂ）のボルト・ナット（本実施例では６Ｂ・７Ｂ）を取り外し、更に掛止部４５が設けられている辺部分のナット（本実施例では７Ａ）を外しても、前記内側Ｌ字部材４と外側Ｌ字部材５とが分離してしまうことなく間隔を設けて積層状態に接続された構成（図４の（４）に示す状態）を維持することができる。しかも、この状態であってもナット無しのボルト６Ａが脱落することがないだけでなく、雌ネジ孔に対してネジ込むことによって当該ボルト６Ａの緊締のみで内側Ｌ字部材４と外側Ｌ字部材５とによる吊りボルト２の仮状態の挟着固定が可能となる。従って、この１本のボルト６Ａの緊締のみで連結金具１を手指で押さえることなく吊りボルト２に仮固定することができるので現場での取付作業時の作業性がより向上する。
【００４７】
透孔４１Ａが雌ネジ孔である態様の場合の他の透孔、或いは、掛止部４５近傍の透孔が雌ネジ孔構成を採らない場合の全透孔は、ボルトを遊動状態に挿通する遊動透孔であることが好ましい。遊動透孔に挿通されるボルトの供回りを防止するために、遊動透孔である透孔そのものか又はその近傍には、ボルトの供回り防止手段を設けることがより好ましい。ボルト供回り手段としては、この種の支持金具のボルト供回り防止手段として公知公用の構成を特別の制限なく採ることができる。本実施例では、ボルト供回り手段として、ボルト頭の側面に当接する凸部を形成した構成を採っている。
【００４８】
更に本発明の連結金具１は、前記外側Ｌ字部材５のＬ字の角部５２の内側であって前記吊りボルト２の挟着固定時に該吊りボルト２の側面に接する部分に、前記吊りボルト２のネジ山が係合する食込部５３が形成されていることが好ましい。かかる構成によれば、吊りボルト２に対する連結金具１の挟着固定をより強固にすることができるので吊りボルト２の軸方向における位置ズレを抑制することができる。尚、本実施例では、外側Ｌ字部材５の角部５２の内側に食込部５３を設けた構成としたが、内側Ｌ字部材４の角部４２の内側に食込部を設ける構成を採ることもできる。
【００４９】
以上の構成の連結金具１は、上記したように吊りボルト２に取付固定することができるが、該連結金具１に長尺ボルト３を取り付けるに際しては、内側Ｌ字部材４と外側Ｌ字部材５の間に長尺ボルト３の端部を固定する固定手段（本実施例では一辺側固定手段８Ａ・他辺側固定手段８Ｂ）を挟着状態でボルト・ナットにより固定する構成を採ることもできるが、好ましくは、一辺側固定手段８Ａを外側Ｌ字部材５の一辺部分５Ａの外側に取付け、他辺側固定手段８Ｂを外側Ｌ字部材５の他辺部分５Ｂの外側に取付ける構成とすることである。一辺側固定手段８Ａ及び他辺側固定手段８Ｂの取付けは、各々ボルト６Ａ・６Ｂの後端部分側に挿通取付した後に、各々ナット７ａ・７ｂを螺合緊締することにより固定することができる。
【００５０】
かかる構成によれば、吊りボルト２に連結金具１を予め正しい取付位置に取付固定した後（図５の（６）の状態）に、該連結金具１に長尺ボルト３を取付固定するという２段階に分けた取付作業とすることができるので、吊りボルト２への連結金具１の取付固定と長尺ボルト３の取付固定とを同時作業とする場合に比して作業性が良好となるだけでなく、現場で長尺ボルト３の長さ調整を行う場合に、調整すべき該長尺ボルト３の長さ確認が極めて容易になる。
特に、長尺ボルト３の取付固定については、長尺ボルト３の取付及び調整（位置調整・長さ調整・テンション調整等）が連結金具１の外側から可能であるので作業性が著しく向上する、エアコン等の機器類ＡＣを吊下げた後であっても一辺側固定手段８Ａ・他辺側固定手段８Ｂ・長尺ボルト３の取付及び調整が可能である、等の効果を有する。
【００５１】
前記一辺側固定手段８Ａ、前記他辺側固定手段８Ｂとしては、本実施例では支持金具として公知公用の部材であるタンバックルを用いている。また、一辺側長尺ボルト３Ａ・他辺側長尺ボルト３Ｂが螺合するナット部としてはタンバックルに回動可能に取付けられたタンバックル用のナットを用いている。
【００５２】
タンバックルを用いた一辺側固定手段８Ａ・他辺側固定手段８Ｂの構成について下記に詳説する。
【００５３】
図４の（６）に符号を付して示すように、一辺側固定手段８Ａは、前記一辺部分４Ａ側のボルト６Ａが挿通する透孔を有する取付板状部８１と、該取付板状部８１に対して屈曲部又は折曲部８２を介して略直角方向に連設されると共に前記一辺側長尺ボルト３Ａの端部を螺合するナット部８４が設けられた固定板状部８３と、を有して構成され、
他辺側固定手段８Ｂは、前記他辺部分４Ｂ側のボルト６Ｂが挿通する透孔を有する取付板状部８１と、該取付板状部８１に対して屈曲部又は折曲部８２を介して略直角方向に連設されると共に前記他辺側長尺ボルト３Ｂの端部を螺合するナット部８４が設けられた固定板状部８３と、を有して構成され、
前記一辺側固定手段８Ａの取付板状部８１が重合する２枚構成であり、該２枚の内の一方の取付板状部８１の端部に屈曲部又は折曲部８２を介して前記固定板状部８３の一方の端部が連設されると共に、前記２枚の内の他方の取付板状部８１の端部に屈曲部又は折曲部８２を介して前記固定板状部８３の他方の端部が連設される構成であり、
前記固定板状部８３に設けられたナット部８４が該固定板状部８３に対して回動可能に取り付けられたナット部材である、
構成となっている。
【００５４】
以上の構成によれば、一辺側固定手段８Ａと他辺側固定手段８Ｂの各々の固定板状部８３が、その両端部において２枚の取付板状部８１・８１に両持ち構成で連設された構成となるので、この固定板状部８３のナット部８４に螺合取付される一辺側長尺ボルト３Ａと他辺側長尺ボルト３Ｂに大きな荷重や振動等の負荷がかかったとしても、変形・損傷・破断等の発生を著しく抑制することができる。従って、大規模地震等における安全性向上に寄与することができる。そして、一辺側固定手段８Ａと他辺側固定手段８Ｂとして、タンバックルを使用することにより、高い強度の補強をより容易に提供することができる。特に、タンバックルは引張力に対する耐性が高いので地震時や余震時の変形・損傷・破断等が生じるおそれが極めて低い。しかも、回動可能なナットが取付けられたタンバックルを用いることにより、ナットの緩みを著しく抑制することができるので、より高い強度の補強を得ることができる。
【００５５】
尚、本発明の吊りボルト連結金具に用いられる一辺側固定手段と他辺側固定手段としては、上記実施例のタンバックルを用いた構成に限定されず、本発明の範囲内において他の態様をとることもでき、例えば、単なる板状部材等を折曲形成することにより上記したタンバックルと同様に固定板状部８３が２枚の取付板状部８１・８１に両持ちされた構成のものを用いてもよいし、或いは固定板状部８３が１枚の取付板状部８１に片持ちされた構成のものを用いてもよい。
【００５６】
以上、本発明の吊りボルト連結金具について実施例に基づき説明したが、本発明は上記実施例に限定されず、本発明の範囲内において、例えば、下記するような構成を採ることもできる。
【００５７】
図１に示す上記実施例では、４つのスパンＡ・Ｂ・Ｃ・Ｄの各々に各２本ずつを交差状態に計８本の長尺ボルト３を架渡す構成としていたが、各スパンに架渡される長尺ボルト３は交差状態の２本に限定されず、１本のみであってもよいし、３本以上であってもよい。また、架渡しの際の角度についても上記実施例の角度に限定されず、現場に応じて適宜設定した角度に架渡すことができ、また、その架渡し方向についても斜めに限定されず、略水平方向であってもよい。更に、１つのスパンに対して２本以上を架渡す場合に交差させることなく架渡す構成とすることもできる。
【００５８】
また上記実施例では、天井スラブ・デッキプレートの如き天板部より垂設される吊りボルトによってエアコン等の各種設備機器・空調機器・電気設備・天井化粧板等を吊下げ固定する態様について説明したが、本発明は、配管類・配線類を例えば載置状態で吊下げる際のラック等についても用いることができる。
【符号の説明】
【００５９】
１  吊りボルト連結金具
２  吊りボルト
３  長尺ボルト
４  内側Ｌ字部材
４Ａ  一辺部分
４Ｂ  他辺部分
４１Ａ  透孔
４１Ｂ  透孔
４２  角部
４５  掛止部
４Ｃ  第２掛止部
５  外側Ｌ字部材
５Ａ  一辺部分
５Ｂ  他辺部分
５１Ａ  透孔
５１Ｂ  透孔
５２  角部
５３  食込部
５Ｃ  第１掛止部
６Ａ  ボルト
６Ｂ  ボルト
６１  ボルト供回り防止手段
７Ａ  ナット
７ａ  ナット
７Ｂ  ナット
７ｂ  ナット
８Ａ  一辺側固定手段
８Ｂ  他辺側固定手段
８１  取付板状部
８２  屈曲部又は折曲部
８３  固定板状部
８４  ナット部
９  長尺ボルト交差連結金具
ＡＣ  エアコン等の機器類
【図１】
2014148827.tif 000003
【図２】
2014148827.tif 000004
【図３】
2014148827.tif 000005
【図４】
2014148827.tif 000006
【図５】
2014148827.tif 000007